(57)【要約】【課題】ＰＤＦ図面やＣＡＤ図面及び電子コピーされた紙図面の縮尺された図面をコンピューター画面上に表示し、寸法の表示が無い箇所の寸法が何分の一になっているか計る事ができるコンピューター画面上の分一用電子定規である。【解決手段】コンピューター画面に表示した図面を任意に認識しやすい縮尺に拡大、縮小しながら寸法を計る事ができるようにする為に図面との識別性よい半透明なカラー表示とし縮尺基準を計る基準線を識別性よい赤色として図面の黒い線と重ね合わせやすくし縦横縮尺の異なる図面に対応するために縦定規、横定規を用意するとともにコンピューター画面のサイズを考慮した定規の長尺化にも対応している。マウス移動では不安定な定規の上下左右への水平垂直移動も矢印キィを利用した移動を採用。任意の縮尺倍率にも何分の一になっているかが計りやすい目盛りを表示した分一用電子定規にした。【選択図】図１
2013061713.tif 000002
【特許請求の範囲】
【請求項１】
本発明は建築図面としてコンピューターソフトウエアを利用して描かれているＰＤＦ図面やＣＡＤ図面の任意の縮尺倍率にも対応して何分の一になっているかが計りやすい目盛りを表示して図面から寸法の表示が無い部分の寸法を計る事ができるコンピューターソフトウエアとしての分一（ぶいち）用電子定規（スケール）である。図面はＰＤＦ図面やＣＡＤ図面を電子コピーで印刷した紙図面の場合もある。この紙図面はＰＤＦ図面やＣＡＤ図の原図よりも縮小されて文字が小さい場合や縮尺寸法の倍率も異なる図面となる。この図面をコンピューター画面上に任意の倍率に表示しながら寸法を計測する事ができる分一（ぶいち）用電子定規（スケール）とする為に定規は図面との重ね合わせを考慮し識別性のよい半透明なカラー表示とし基本となる基準線をより識別性のよい赤色として定規の幅全体に表示し、図面に描かれている黒い線と重ね合わせた時も識別しやすくした。コンピューター画面上での、図面表示倍率も、該定規にある倍率入力箇所に、図面のコンピューター表示上の倍率と同じ数値を入力する事で自動換算された縮尺が何分の一かで計る為の目盛りが表示される定規になる。今回出願したコンピューターソフトウエアとしての分一（ぶいち）用電子定規は、前期特許文献１にある液晶定規という製品が紙図面上での使用目的とはことなり、紙図面上では不鮮明な線や、文字が小さい為に識別しづらい図面を、コンピューター画面上に認識性のよい表示倍率にして図面の細部にわたる寸法を読みとる事を可能とし長さもコンピューター画面サイズの大型化にも自由に対応できる定規である。表示される図面は横倍率と縦倍率がことなることもあり、縦定規と横定規のそれぞれの縮尺倍率に応じた分一用定規となる。
【発明の詳細な説明】
【技術分野】
【０００１】
本発明は建築図面としてコンピューターソフトウエアを利用して描かれているＰＤＦ図面やＣＡＤ図面上の縮尺が何分の一になっている図面から寸法の表示が無い場合に図面から寸法を計る事ができるコンピューターソフトウエアとしての分一（ぶいち）用電子定規（スケール）である。図面はＰＤＦ図面やＣＡＤ図面を電子コピーで印刷した紙図面の場合もある。この紙図面はＰＤＦ図面やＣＡＤ図の原図よりも縮小されて文字が小さい場合や縮尺寸法の倍率も異なる図面となる。この図面をコンピューター画面上に識別性のよい任意の倍率に表示しながら寸法を計測する事ができる分一（ぶいち）用電子定規（スケール）である。
【背景技術】
【０００２】
建設業、とりわけ鉄筋加工業を対象に１９８２年から鉄筋コンクリート造りの建物用積算ソフトウエアの開発を行ってきた。ＣＡＤを利用できない人向きに誰もが利用できるように寸法を入力する事でＣＡＤ図面のような平面図が描けるソフトウエアを開発した。こうしたＣＡＤ図面やＰＤＦ化した図面を扱って積算業務に携わる時、紙図面に三角形型の分一用定規を用いての縮尺寸法を測定する現状では、図面の縮尺が縦寸法、横寸法とそれぞれ比率が異なっている上、微細な文字や乱れた文字、線が見づらい事に苦心している事に着目した。この図面をコンピューター画面上に表示し、任意に認識性のよい表示倍率に表示して寸法を計測する事できれば作業効率が一段と向上する為の定規として開発した。
【先行技術文献】
【特許文献】
【０００３】
【特許文献１】特開２００２−９２３９３  配管設備の積算システム
【特許文献２】特開平１０−２８１７０１  液晶画面を利用して目盛りを無段階に変化できるようにしたスケール
【非特許文献】
【０００４】
【非特許文献１】ぶいち（分一）という表現は、「図解建築現場辞典」、「建築用語大辞典」にて解説されている。
【発明の概要】
【発明が解決しようとする課題】
【０００５】
前記した特許文献１配管設備の積算方法で考えられている寸法測定は測定する二点をクリックして測定する方法である。特許文献２特開平１０−２８１７０１  液晶画面を利用して目盛りを無段階に変化できるようにしたスケールは紙図面上の寸法倍率が異なる図面に利用するスケールである。今回提出するソフトウエアとしての分一用電子定規は、コンピューター上のＰＤＦ図面やＣＡＤ図面にたいする利用とともに、図面がＡ３用紙にコピーされたＰＤＦ図面やＣＡＤ図面をコンピューター画面に表示して利用可能である。図面の縮尺が一定ではなく、小さな文字や線の識別もしづらい図面から詳細の寸法を測る為には、コピーの倍率調整や、分一定規を利用するよりも、もっと認識性をよくするために、図面をコンピューター画面上に表示し、誰もが従来の物差しを利用する感覚で寸法が読みとれる方法を考案する事であった。従来からあるコンピューターソフトウエアとしての定規はＰＤＦ図面、ＣＡＤ図面の寸法測定を目的としたソフトウエアではなく、コンピューターソフトウエア開発上の各種サイズを決める事を目的としたピクセル定規であって今回考案した図面の縮尺を計る定規とは異なるものである。
【課題を解決するための手段】
【０００６】
紙図面上における分一定規を用いての縮尺寸法読みとりは、極細な図面やコピー等にて乱れた文字や線では読みとりづらく、コンピューター画面上に拡大表示する事により認識性が向上する。コンピューター画面上に拡大、縮小しながら表示された図面を、半透明なカラー表示の定規と識別性のよい赤色の基準線を利用する事により黒色を主とする図面との重ね合わせをしたときの識別性がよく、この基準線を図面上で寸法が確定されている位置に合わせ、線の位置からの表示されている寸法を基準値として入力枠に入力することにより分一用定規としての目盛りがコンピューター画面上に表示される。コンピューターソフトウエアによって作成された電子定規を図面上で移動させて寸法を計る事ができる。コンピューター画面上に表示される図面の倍率表示数値を電子定規の倍率入力枠に入力するだけでその図面の縮尺倍率に適合した分一の目盛りを表示する定規となる。コンピューター画面の大型化にも適合する長尺の定規や、色、縦横倍率の異なる定規を用意し、定規のコンピューター上での移動にしてもマウス操作では不安定な垂直、水平移動もコンピューターのキィボード矢印を利用した安定した移動も可能とした。
【発明の効果】
【０００７】
見づらい文字、図面をコンピューター画面上で認識しやすい倍率に拡大して文字の読みとりをしながら、分一用電子定規として寸法を計ることができる定規は作業効率を格段と向上させた。今までの作業時間の短縮や、文字などの認識間違いなども防げる事になった。
【図面の簡単な説明】
【０００８】
【図１】横定規を画面に表示した図
【図２】縦定規を画面に表示した図
【図３】横定規、縦定規の両方を画面に表示した図
【発明を実施するための形態】
【０００９】
この定規の利用者は、コンピューター表示装置、いわゆるディスプレイを複数（マルチディスプレイ）にして、図面を表示したまま測定や読みとりをしながら、片方でその測定結果や状況を判断しつつ、プログラムを使った作業が同時に行えるメリットがうまれた。
【実施例】
【００１０】
自社に於いて、鉄筋積算ひろい計算時、該定規を用いて図面上の採寸を行っている。
【産業上の利用可能性】
【００１１】
現在、図面のＰＤＦ化、ＣＡＤデータでの送受信は一般的になり、旧来の青コピーによる図面のやりとりは減少している。コンピューターの普及に伴いこの定規の利用価値はめざましく発展利用される事を予測している。コンピューター操作に熟知した人たちを対象とするソフトウエアではなく、一般の人々を対象とした、誰もが図面上の寸法を単純に計測する事を目的として開発した。市販のＰＤＦ，ＣＡＤソフトウエアに組み込まれるソフトとしての利用価値は高い。
【符号の説明】
【００１２】
１  赤色の基準線は、測定する図面が黒い線が主流のため重ね合わせて基準線を決定しやすくするためである。
２  コンピューター画面上に、図面を表示した時に認識性のよい倍率をコンピューター上で選択し、その倍率と同じ倍率数値を入力する入力枠
３  図面上に描かれている寸法が特定できる範囲を基準として、特定した範囲の寸法数値の入力枠
４  基準値確定後表示される「定規としての目盛」
５  定規の色の任意変更したい時の色設定ボタン
６  定規の縦、横単独使用時の縦横変更ボタン
７  マウス移動による、マウス位置の基準線からの寸法を表示
８  定規の移動時、このボタンを使ってマウスを移動させ任意に定規を移動できる。但し垂直方向、水平方向の微移動はコンピューターキーの矢印キーを使う
９  定規使用終了ボタン
１０  コンピューター画面の表示サイズに適合した定規の長さを選択する為のボタン
１１  定規を最小化して一時、定規を一時待避する機能ボタン
【図１】
2013061713.tif 000003
【図２】
2013061713.tif 000004
【図３】
2013061713.tif 000005
【手続補正書】
【提出日】平成24年1月11日(2012.1.11)
【手続補正１】
【補正対象書類名】明細書
【補正対象項目名】０００６
【補正方法】変更
【補正の内容】
【０００６】
本願発明は、コンピューター画面に表示されたＰＤＦ図面又は、ＣＡＤ図面の寸法を測定するためのコンピューター画面用目盛り付き分一定規のソフトウェアであって、前記ＰＤＦ図面又は、ＣＡＤ図面に画面上で重ね合わせて用いる定規であり、該分一定規は半透明なカラー表示とし、基準線は赤色として定規の幅全体に表示された縦定規または横定規であって、該定規は更に、画面上に倍率入力枠、定規の色設定ボタン、定規の縦横変更ボタン、マウス位置の基準線からの寸法表示及び使用終了ボタンを有し、前記倍率入力枠に数値を入力することで縮尺を換算する自動換算手段によりその縮尺の目盛りが表示されることを特徴とするコンピューター画面用分一定規のソフトウェアーである。又、本発明は建築図面としてコンピューターソフトウェアーを利用して描かれているＰＤＦ図面やＣＡＤ図面の任意の縮尺倍率にも対応して何分の一になっているかがはかりやすい目盛りを表示して図面から寸法の表示が無い部分の寸法を計る事ができるコンピューターソフトウェアーとしての分一（ぶいち）電子定規（スケール）である。図面はＰＤＦ図面やＣＡＤ図面を電子コピーで印刷した紙図面の場合もある。この紙図面はＰＤＦ図面やＣＡＤ図面の原図よりも縮小されて文字が小さい場合や縮尺寸法の倍率も異なる図面となる。この図面をコンピューター画面上に任意の倍率に表示しながら寸法を計測する事ができる分一（ぶいち）用電子定規（スケール）とする為に定規は図面との重ね合わせを考慮し識別性のよい半透明なカラー表示とし基本となる基準線をより識別性の良い赤色として定規の幅全体に表示し、図面に描かれている黒い線と重ね合わせた時も識別しやすくした。コンピューター画面上での、図面表示倍率も、該定規にある倍率入力箇所に、図面のコンピューター表示上の倍率と同じ数値を入力する事で自動換算された縮尺が何分の一かで計る為の目盛りが表示される定規になる。今回出願したコンピューターソフトウェアとしての分一（ぶいち）電子定規（スケール）は、前記特許文献１にある液晶定規という製品が紙図面上での使用目的とはことなり、紙図面上では不鮮明な線や、文字が小さい為に識別しづらい図面を、コンピューター画面上に認識性のよい表示倍率にして図面の細部にわたる寸法を読みとる事を可能とし長さもコンピューター画面サイズの大型化にも自由に対応できる定規である。表示される図面は縦倍率と横倍率がことなることもあり、縦定規と横定規のそれぞれの縮尺倍率に応じた分一定規となる。
紙図面上における分一定規を用いての縮尺寸法読みとりは、極細な図面やコピー等にて乱れた文字や線では読みとりづらく、コンピューター画面上に拡大表示する事により認識性が向上する。コンピューター画面上に拡大、縮小しながら表示された図面を、半透明なカラー表示の定規と識別性のよい赤色の基準線を利用する事により黒色を主とする図面との重ね合わせをしたときの識別性がよく、この基準線を画面上で寸法が確定されている位置に合わせ、線の位置からの表示されている寸法を基準値として入力枠に入力することにより分一定規としての目盛りがコンピューター画面上に表示される。コンピューターソフトウェアによって作成された電子定規を図面上で移動させて寸法を計る事ができる。コンピューター画面上に表示される図面の倍率表示数値を電子定規の倍率入力枠に入力するだけでその図面の縮尺倍率に適合した分一の目盛りを表示する定規となる。コンピューター画面の大型化にも適合する長尺の定規や、色、縦横倍率の異なる定規を用意し、定規のコンピューター上での移動にしてもマウス操作では不安定な垂直、水平移動もコンピューターのキィボード矢印を利用した安定した移動も可能とした。
【手続補正２】
【補正対象書類名】特許請求の範囲
【補正対象項目名】請求項１
【補正方法】変更
【補正の内容】
【請求項１】
コンピューター画面に表示されたＰＤＦ図面又は、ＣＡＤ図面の寸法を測定するためのコンピューター画面用目盛り付き分一定規のソフトウェアーであって、前記ＰＤＦ図面又は、ＣＡＤ図面に画面上で重ね合わせて用いる定規であり、該分一定規は半透明なカラー表示とし、基準線は赤色として定規の幅全体に表示された縦定規または横定規であって、該定規は更に、画面上に倍率入力枠、定規の色設定ボタン、定規の縦横変更ボタン、マウス位置の基準線からの寸法表示及び使用終了ボタンを有し、前記倍率入力枠に数値を入力することで縮尺を換算する自動換算手段によりその縮尺の目盛りが表示されることを特徴とするコンピューター画面用分一定規のソフトウェアー。
【手続補正書】
【提出日】平成24年3月1日(2012.3.1)
【手続補正１】
【補正対象書類名】明細書
【補正対象項目名】０００６
【補正方法】変更
【補正の内容】
【０００６】
本願発明は、コンピューター画面に表示されたＰＤＦ図面又は、ＣＡＤ図面の寸法を測定するためのコンピューター画面用目盛り付き分一定規を表示する機能をコンピューターに実現させるためのプログラムであって、前記ＰＤＦ図面又は、ＣＡＤ図面に画面上で重ね合わせて用いる定規であり、該分一定規は半透明なカラー表示とし、基準線は赤色として定規の幅全体に表示された縦定規または横定規であって、該定規は更に、画面上に倍率入力枠、定規の色設定ボタン、定規の縦横変更ボタン、マウス位置の基準線からの寸法表示及び使用終了ボタンを有し、前記倍率入力枠に数値を入力することで縮尺を換算する自動換算手段によりその縮尺の目盛りが表示されることを特徴とするコンピューター画面用分一定規のプログラムである。又、本発明は建築図面としてコンピュータープログラムを利用して描かれているＰＤＦ図面やＣＡＤ図面の任意の縮尺倍率にも対応して何分の一になっているかがはかりやすい目盛りを表示して図面から寸法の表示が無い部分の寸法を計る事をコンピューターに実現させるためのプログラムとしての分一（ぶいち）電子定規（スケール）である。図面はＰＤＦ図面やＣＡＤ図面を電子コピーで印刷した紙図面の場合もある。この紙図面はＰＤＦ図面やＣＡＤ図面の原図よりも縮小されて文字が小さい場合や縮尺寸法の倍率も異なる図面となる。この図面をコンピューター画面上に任意の倍率に表示しながら寸法を計測する事ができる分一（ぶいち）用電子定規（スケール）とする為に定規は図面との重ね合わせを考慮し識別性のよい半透明なカラー表示とし基本となる基準線をより識別性の良い赤色として定規の幅全体に表示し、図面に描かれている黒い線と重ね合わせた時も識別しやすくした。コンピューター画面上での、図面表示倍率も、該定規にある倍率入力箇所に、図面のコンピューター表示上の倍率と同じ数値を入力する事で自動換算された縮尺が何分の一かで計る為の目盛りが表示される定規になる。今回出願したコンピューターのプログラムとしての分一（ぶいち）電子定規（スケール）は、前記特許文献１にある液晶定規という製品が紙図面上での使用目的とはことなり、紙図面上では不鮮明な線や、文字が小さい為に識別しづらい図面を、コンピューター画面上に認識性のよい表示倍率にして図面の細部にわたる寸法を読みとる事を可能とし長さもコンピューター画面サイズの大型化にも自由に対応できる定規である。表示される図面は縦倍率と横倍率がことなることもあり、縦定規と横定規のそれぞれの縮尺倍率に応じた分一定規となる。
紙図面上における分一定規を用いての縮尺寸法読みとりは、極細な図面やコピー等にて乱れた文字や線では読みとりづらく、コンピューター画面上に拡大表示する事により認識性が向上する。コンピューター画面上に拡大、縮小しながら表示された図面を、半透明なカラー表示の定規と識別性のよい赤色の基準線を利用する事により黒色を主とする図面との重ね合わせをしたときの識別性がよく、この基準線を画面上で寸法が確定されている位置に合わせ、線の位置からの表示されている寸法を基準値として入力枠に入力することにより分一定規としての目盛りがコンピューター画面上に表示される。プログラムによって作成された電子定規を図面上で移動させて寸法を計る事ができる。コンピューター画面上に表示される図面の倍率表示数値を電子定規の倍率入力枠に入力するだけでその図面の縮尺倍率に適合した分一の目盛りを表示する定規となる。コンピューター画面の大型化にも適合する長尺の定規や、色、縦横倍率の異なる定規を用意し、定規のコンピューター上での移動にしてもマウス操作では不安定な垂直、水平移動もコンピューターのキィボード矢印を利用した安定した移動も可能とした。
【手続補正２】
【補正対象書類名】特許請求の範囲
【補正対象項目名】請求項１
【補正方法】変更
【補正の内容】
【請求項１】
コンピューター画面に表示されたＰＤＦ図面又は、ＣＡＤ図面の寸法を測定するためのコンピューター画面用目盛り付き分一定規を表示する機能をコンピューターに実現させるためのプログラムであって、前記ＰＤＦ図面又は、ＣＡＤ図面に画面上で重ね合わせて用いる定規であり、該分一定規は半透明なカラー表示とし、基準線は赤色として定規の幅全体に表示された縦定規または横定規であって、該定規は更に、画面上に倍率入力枠、定規の色設定ボタン、定規の縦横変更ボタン、マウス位置の基準線からの寸法表示及び使用終了ボタンを有し、前記倍率入力枠に数値を入力することで縮尺を換算する自動換算手段によりその縮尺の目盛りが表示されることを特徴とするコンピューター画面用分一定規のプログラム。